(57)【特許請求の範囲】
【請求項１】
内容物を吐出する吐出口（３ａ）を有するノズル部（３）と、容器本体（１０）に嵌着される肩カバー部（２）とを備えてなるスパウトにおいて、上記ノズル部（３）の外周面の一部に平面部（４）が形成されるとともに、この平面部（４）と上記肩カバー部（２）とを連結し、且つ上記肩カバー部（２）よりも肉薄に形成したヒンジ部（６）が設けられ、このヒンジ部（６）における上記平面部（４）側の連結部Ａ（５）と上記肩カバー部（２）側の連結部Ｂ（７）とが、それぞれ直線状に形成され、且つこれら直線状の連結部Ａ（５）及び連結部Ｂ（７）が互いに平行に対向していることを特徴とするスパウト。
【発明の詳細な説明】
【０００１】
【発明の属する技術分野】
本発明は、自噴式或いは畜圧式容器に充填された整髪料、シェービングフォーム等を噴射するために用いられるスパウトに関する。
【０００２】
【従来の技術】
従来、フォーム状整髪料等を吐出させるための自噴式（エアゾール式）吐出容器は、例えば図６及び図７に示すように構成されている。これらの図において、（５０）は内部に整髪料液と加圧ガスとからなる内容物を収納する有底円筒状の容器本体であって、この容器本体（５０）の上端には巻き締め等の手段でバルブ（５１）が固着されている。上記容器本体（５０）の上部にはスパウト（５２）が取り付けられており、このスパウト（５２）は、上記バルブ（５１）に嵌着される肩カバー部（５３）と、バルブ（５１）の吐出管の上端に遊嵌されて内容物通路を形成するとともに内容物を吐出する吐出口（５４ａ）を有するノズル部（５４）とを備えて樹脂材料で一体成型されている。
【０００３】
そして、このスパウト（５２）においては、図８に示すように、上記ノズル部（５４）の外周面の一部を一端側の連結部Ａ（５５）とし、上記肩カバー部（５３）の内周面の一部を他端側の連結部Ｂ（５６）として、両者を連結するヒンジ部（５７）が設けられている。
【０００４】
このように構成されたエアゾール式吐出容器は、使用時に容器本体（５０）を振って整髪料液を十分に発泡させた後、ノズル部（５４）を図７中の矢印方向に押動操作すると、ヒンジ部（５７）における連結部Ａ（５５）側の連結端縁Ａ（５５ａ）（図８参照）及び連結部Ｂ（５６）側の連結端縁Ｂ（５６ａ）が屈曲して変位し、ノズル部（５４）が押し下げられてバルブ（５１）の弁体を開弁させるものである。そして、このバルブ（５１）からノズル部（５４）の内容物通路を経由して、フォーム状となった整髪料が吐出口（５４ａ）から吐出されるのである。
【０００５】
【発明が解決しようとする課題】
ところで、上述した従来のスパウト（５２）にあっては、ノズル部（５４）を押動操作すると、該ノズル部（５４）と肩カバー部（５３）とを連結するヒンジ部（５７）における上記連結端縁Ａ（５５ａ）、（５５ａ）及び連結端縁Ｂ（５６ａ）、（５６ａ）の４箇所に構造上曲げ応力が集中することとなる。そして、特にスパウト（５２）の成型材料としてポリプロピレン樹脂等を使用した場合、樹脂の可撓性が低下する冬場の季節等においては、ヒンジ部（５７）の連結部Ａ（５５）及びその連結端縁Ａ（５５ａ）、（５５ａ）並びに連結部Ｂ（５６）及びその連結端縁Ｂ（５６ａ）、（５６ａ）が白化しクラツクが発生し、押動操作を繰り返すと、これらの部分が破断してノズル部（５４）がスパウト（５２）から脱落してしまうという問題が発生することとなった。
【０００６】
そこで、この問題を解決するために、ヒンジ部（５７）の両連結端縁Ａ（５５ａ）及びＢ（５６ａ）の肉厚を厚くして強度の改善を図ることも考えられたが、この部分を肉厚にすると、ヒンジ部（５７）の両連結端縁Ａ（５５ａ）、Ｂ（５６ａ）が屈曲し難くなり、ノズル部（５４）の押動操作が困難になるという問題を免れなかった。
【０００７】
本発明は、上述した従来技術の問題に鑑みなされたものであって、スパウトにおけるノズル部の押動操作を繰り返しても、ヒンジ部の連結部等が白化してクラックが発生したり破断したりすることのないスパウトの提供を目的とするものである。
【０００８】
【課題を解決するための手段】
上記の目的を達成するために、本発明のスパウトは次のような構成をとる。すなわち、内容物を吐出する吐出口を有するノズル部と、容器本体に嵌着される肩カバー部とを備えてなるスパウトにおいて、上記ノズル部の外周面の一部に平面部が形成されるとともに、この平面部と上記肩カバー部とを連結し、且つ上記肩カバー部よりも肉薄に形成したヒンジ部が設けられ、このヒンジ部における上記平面部側の連結部Ａと上記肩カバー部側の連結部Ｂとが、それぞれ直線状に形成され、且つこれら直線状の連結部Ａ及び連結部Ｂが互いに平行に対向していることを特徴とするものである。
【０００９】
上記の構成をとる本発明のスパウトにおいては、ノズル部を押動操作する際の応力が、ノズル部と肩カバー部とを連結するヒンジ部の連結部Ａ及び連結部Ｂに均一に与えられることとなる。従って、このスパウトによれば、特定の部位に曲げ応力が集中することに起因して発生する連結部等の白化、クラックの問題、ヒンジ部の破断等の問題を確実に防止することが可能となる。
【００１０】
【発明の実施の形態】
次に、本発明の実施の形態を図面に基づき説明する。
【００１１】
図１は、本発明のスパウトの一実施の形態を示す外観斜視図であり、図２は、このスパウトをエアゾール式フォーム状整髪料吐出容器のスパウトとして用いた際の部分断面図である。これらの図に示すように、このスパウト（１）は、内部に整髪料液と加圧ガスを収納した容器本体（１０）のバルブ（１１）に嵌着される肩カバー部（２）と、バルブ（１１）の吐出管（１２）の上端に遊嵌されて内容物通路を形成するとともに上端に吐出口（３ａ）を有するノズル部（３）とを備えて構成されている。
【００１２】
上記ノズル部（３）は、その外周面の一部に、曲面状から平面状に表面を切り落としたように形成された平面部（４）を備えている。そして、ノズル部（３）と肩カバー部（２）とは、上記平面部（４）側を一端側の連結部Ａ（５）とするヒンジ部（６）によって一体的に連結されている。しかして、このヒンジ部（６）は、上記肩カバー部（２）よりも肉薄に形成されており（図２参照）、肩カバー部（２）の内周面と連結する他端側の連結部Ｂ（７）は、上記平面部（４）に設けられた一端側の連結部Ａ（５）と平行に対向するように直線状に形成されている。従って、ノズル部（３）と肩カバー部（２）とを連結するヒンジ部（６）は、ノズル部（３）及び肩カバー部（２）よりも肉薄の矩形状に形成されている。そして、このスパウト（１）は、ポリプロピレン樹脂を一体成型することにより、上記構成をとるよう形成されている。
【００１３】
このように構成されたスパウト（１）においては、図２中の矢印方向にノズル部（３）を押動操作した場合、ノズル部（３）と肩カバー部（２）とを連結するヒンジ部（６）の連結部Ａ（５）及び連結部Ｂ（７）に均一に応力が与えられることとなる。すなわち、ヒンジ部（６）の連結部Ａ（５）と連結部Ｂ（７）とは、それぞれが直線状に、且つ互いに平行に対向するよう形成されているため、押動力が一部分に集中することなく、均一に力を受けて屈曲することとなる。そして、これら両連結部Ａ（５）、Ｂ（７）が屈曲することにより、ノズル部（３）が下方に変位し、バルブ（１１）の吐出管（１２）から吐出された内容物がノズル部（３）の吐出口（３ａ）からフォーム状に吐出されるのである。しかして、このスパウト（１）においては、特定の部位に曲げ応力が集中することがないため、ヒンジ部（６）の両連結部Ａ（５）、Ｂ（７）等が白化してクラックが発生したり破断したりすることがない。
【００１４】
図３は、本発明のスパウトの第２の実施形態を示している。この実施形態において、上記第１の実施形態のスパウトの構成と同様の構成には同一符号を付し、その詳細説明は省略する。すなわち、このスパウト（２１）においては、ノズル部（３）と肩カバー部（２）とを連結する肉薄のヒンジ部（２２）の一端側が、ノズル部（３）の外周面の平面部（４）に連結された直線状の連結部Ａ（２３）となっており、また他端側の連結部Ｂ（２４）が、肩カバー部（２）の上面（２ａ）に設けられた平行な２本の切り込み部（２５）、（２６）の切り込み端を結んだ直線状の連結線（図中点線で示す）によって形成されている。
【００１５】
しかして、このスパウト（２１）において、ヒンジ部（２２）の連結部Ａ（２３）と連結部Ｂ（２４）とは、それぞれが直線状に、且つ互いが平行に対向して設けられているため、上記第１の実施形態のものと同様に、押動力が両連結部Ａ（２３）、Ｂ（２４）に均一に加わり、スムーズな押動操作を繰り返し行うことが可能となるのである。更に、このスパウト（２１）におけるヒンジ部（２２）の連結部Ｂ（２４）は、肩カバー部（２）に設けられた２箇所の切り込み部（２５）、（２６）を介して形成されているため、ヒンジ部（２２）の連結距離が長くなり、その結果、ノズル部（３）を押動操作した際の両連結部Ａ（２３）、Ｂ（２４）の変位角度が減少して発生する曲げ応力が減少することとなる。従って、このスパウト（２１）によれば、ヒンジ部（２２）の両連結部Ａ（２３）、Ｂ（２４）の白化、クラックの発生及び破断といった問題を確実に解消することが可能となる。そして、特にスパウトの径が小さくヒンジ部（２２）の連結距離を長くとれない場合には、この形態のスパウト（２１）を採用することが好適である。
【００１６】
図４は、本発明のスパウトの第３の実施形態を示している。この実施形態において、上記第１の実施形態のスパウトの構成と同様の構成には同一符号を付し、その詳細説明は省略する。すなわち、このスパウト（３１）においては、ノズル部（３）と肩カバー部（２）とを連結する肉薄のヒンジ部（３２）の一端側が、ノズル部（２）の外周面の平面部（４）に連結された直線状の連結部Ａ（３３）となっており、また他端側の連結部Ｂ（３４）が、肩カバー部（２）から垂下した垂下片（３５）の下端において直線状に形成されている。
【００１７】
しかして、このスパウト（３１）において、ヒンジ部（３２）の連結部Ａ（３３）と連結部Ｂ（３４）とは、それぞれが直線状に、且つ互いが平行に対向して設けられているため、上記第１及び第２の実施形態のものと同様に、押動力が両連結部Ａ（３３）、Ｂ（３４）に均一に加わり、スムーズな押動操作を繰り返し行うことが可能となるのである。更に、このスパウト（３１）によれば、ノズル部（３）を押動操作した際にヒンジ部（３２）の曲げ応力と変位が垂下片（３５）により吸収緩和されることとなるため、押動に対する強度が充分に得られ、ヒンジ部（３２）の両連結部Ａ（３３）、Ｂ（３４）の白化、クラックの発生及び破断の問題が確実に解決されることとなる。
【００１８】
図５は、本発明のスパウトの第４の実施形態を示している。この実施形態において、上記第１の実施形態のスパウトの構成と同様の構成には同一符号を付し、その詳細説明は省略する。すなわち、このスパウト（４１）においては、ノズル部（３）と肩カバー部（２）とを連結する肉薄のヒンジ部（４２）の略中央部に凸状の逆Ｖの字型のベント部（４３）を設けている以外は、第１の実施形態として上述したスパウト（１）と同様の構成によってノズル部（３）と肩カバー部（２）とを両連結部Ａ（５）、Ｂ（７）により連結している。
【００１９】
上記のように、このスパウト（４１）は、ヒンジ部（４２）に上記逆Ｖの字型のベント部（４３）を備えているため、ノズル部（３）を押動操作した際にヒンジ部（４２）に発生する曲げ応力と変位がベント部（４３）で吸収緩和されることとなる。従って、このスパウト（４１）によれば、ヒンジ部（４２）の両連結部Ａ（５）、Ｂ（７）の白化、クラックの発生及び破断の問題がより一層確実に解決されることとなるのである。
【００２０】
なお、上記ベント部（４３）は、上記第２及び第３の実施形態のスパウトのヒンジ部（２２）、（３２）に設けても、同様の作用効果を奏するものである。
【００２１】
しかして、これらのスパウトは、ノズル部と肩カバー部とを上記各構造のヒンジ部にて一体に連結するように金型加工された成型用金型内に、可撓性を有するポリプロピレン、ポリエチレン等の熱可塑性樹脂を射出成型することにより得ることができるものである。
【００２２】
本発明のスパウトは、容器に充填された内容物を液化ガスや圧縮ガスにより噴射する自噴式（エアゾール式）の液体吐出容器、または容器内部に備えたピストンにて容器内の気体を圧縮することにより内容物とともに噴射する畜圧式の液体吐出容器等に適用することができる。そして、内容物をフォーム状、霧状等、どのような状態で吐出するかは、充填するガスの種類と量、吐出するスパウトの吐出口の形状や大きさによって調整が可能である。このように、本発明のスパウトは、整髪剤、シェービング剤、毛髪トリートメント剤等の化粧料、医薬品、家庭用雑貨品等の吐出容器用スパウトとして幅広く適用することのできるものである。
【００２３】
【発明の効果】
以上述べた通り、本発明のスパウトは、ノズル部と肩カバー部とを連結するヒンジ部において連結部等が白化しクラックが発生したり破断したりすることがなく、押動操作の繰り返しに充分に耐えうる強度を有しており、且つ押動操作を極めてスムーズに行うことのできるものである。
【図面の簡単な説明】
【図１】本発明のスパウトの一実施の形態を示す斜視図である。
【図２】図１のスパウトをエアゾール式フォーム状吐出容器に装着した状態を示す部分断面図である。
【図３】本発明のスパウトの第２の実施の形態を示す斜視図である。
【図４】本発明のスパウトの第３の実施の形態を示す斜視図である。
【図５】本発明のスパウトの第４の実施の形態を示す斜視図である。
【図６】従来技術のスパウトを装着したエアゾール式フォーム状吐出容器を示す斜視図である。
【図７】図６の部分断面図である。
【図８】図６におけるスパウトの拡大斜視図である。
【符号の説明】
１  スパウト
２  肩カバー部
３  ノズル部
４  平面部
５  連結部Ａ
６  ヒンジ部
７  連結部Ｂ
【図１】
0003544074.tif 000002
【図２】
0003544074.tif 000003
【図３】
0003544074.tif 000004
【図４】
0003544074.tif 000005
【図５】
0003544074.tif 000006
【図６】
0003544074.tif 000007
【図７】
0003544074.tif 000008
【図８】
0003544074.tif 000009